(57)【要約】【課題】経時変化に応じたガンマテーブルを、ターゲットガンマに応じた基準テーブルと分離してキャリブレーション処理を自動的に行う画像形成装置。【解決手段】起動時又は所定期間の経過を検出するとドラム濃度を自動検出し、濃度が所定値以下であるとキャリブレーション用画像情報に応じてドラム部上に画像形成を行いこの濃度に基づく検出テーブルＤ２と基準テーブルＲとの差分を示すガンマテーブルＣ２を生成して保存する。更に、スキャナ部で読み取った画像情報をガンマテーブルに基づき補正し、更にこの補正した画像情報を基準テーブルに基づいて補正し、この画像情報に基づき印刷する画像形成装置。【選択図】    図１
2004266544.tif 000002
【特許請求の範囲】
【請求項１】
画像の濃度に基づく検出パラメータと基準パラメータとに基づき補正パラメータを生成し、画像情報を前記補正パラメータに基づき補正し、更にこの補正した前記画像情報を前記基準パラメータに基づいて補正する画像処理部と、
前記画像処理部で補正した画像情報に基づき画像形成を行う画像形成部と、
を具備することを特徴とする画像形成装置。
【請求項２】
前記画像処理部は、キャリブレーション用画像情報を読み出し、前記画像形成部が有する像担持体上に画像形成を行い、この画像の濃度に基づく検出パラメータを求めて、前記補正パラメータの生成に供する請求項１記載の画像形成装置。
【請求項３】
前記画像処理部は、起動時又は前記補正パラメータを更新した時点を基点とした所定期間の経過を検出すると、前記補正パラメータの生成を行うことを特徴とする請求項１記載の画像形成装置。
【請求項４】
前記画像処理部は、前記基準パラメータを任意に変更することができる機能を更に有することを特徴とする請求項１記載の画像形成装置。
【請求項５】
前記画像処理部は、キャリブレーション用画像情報を読み出して前記画像形成部により記録媒体上に画像形成し、この画像を画像読み取り部で読み出した画像情報の濃度に基づいて前記検出パラメータを求めて、前記補正パラメータの生成に供する請求項１記載の画像形成装置。
【請求項６】
前記画像形成部により前記キャリブレーション用画像情報に応じて画像形成された前記記録媒体を、前記画像読み取り部で読み取るための操作をユーザに促すべく表示する表示部を更に有することを特徴とする請求項５記載の画像形成装置。
【請求項７】
前記画像読み取り部が読み取ったＲＧＢによる前記画像情報をＹＭＣＫによる画像情報に画像変換して前記検出パラメータの生成に供する変換部を更に有する請求項５記載の画像形成装置。
【請求項８】
画像の濃度に基づく検出パラメータと基準パラメータとに基づき補正パラメータを生成し、
画像情報を前記補正パラメータに基づき補正し、更にこの補正した前記画像情報を前記基準パラメータに基づいて補正し、
補正した画像情報に基づき画像形成を行うことを特徴とする画像形成方法。
【発明の詳細な説明】
【０００１】
【発明の属する技術分野】
この発明は、画像形成装置に関し、特に起動時又は所定期間毎に経時変化に応じて補正テーブルを更新して画像補正しその後の基準テーブルに応じたガンマ補正を独立して行う画像形成装置及び画像形成方法に関する。
【０００２】
【従来の技術】
最近、複合型複写機において、プリントエンジンでのガンマ特性の経時変化を補正するためにキャリブレーション（Ｃａｌｉｂｒａｔｉｏｎ）が行なわれている。従来装置におけるキャリブレーションでは、調整時毎にガンマ補正テーブルを生成し、プリントエンジンの特性を補正している。
【０００３】
これに関連した従来技術として、キャリブレーション処理が行われる画像形成装置を示す例が挙げられる（例えば、特許文献１）。このような画像形成装置では、キャリブレーションで得られたガンマ補正テーブルを用いて、経時変化によるズレの補正と、ターゲットとするプリンタガンマ特性の生成とを一つのテーブルで同時に実現している。
【０００４】
【特許文献１】
特開２００１−１３６３９１号公報。
【０００５】
【特許文献２】
特開２００１−２５１５１０号公報。
【０００６】
【発明が解決しようとする課題】
上述した従来装置の画像形成装置におけるキャリブレーション方式の場合、２つの目的を一つのテーブルで同時に実現する必要があり、ターゲットガンマの変更に応じて、十分な補正精度を確保することが難しい。又、ターゲットとする表色系（Ｌ＊ａ＊ｂ＊、濃度、反射率）に応じて、テストプリントを読み取った値に対する色変換関数を求める必要があり、予め複数の色変換を内蔵する必要があるという問題がある。
本発明は、経時変化に応じたガンマテーブルとターゲットガンマに応じた基準テーブルとを分離して処理することで最適なキャリブレーション処理を容易に行うことができる画像形成装置及び画像形成方法を提供することを目的とする。
【０００７】
【課題を解決するための手段】
上記課題を解決するべく本発明は、画像の濃度に基づく検出パラメータと基準パラメータとに基づき補正パラメータを生成し、画像情報を前記補正パラメータに基づき補正し、更にこの補正した前記画像情報を前記基準パラメータに基づいて補正する画像処理部と、前記画像処理部で補正した画像情報に基づき画像形成を行う画像形成部とを具備することを特徴とする画像形成装置である。
【０００８】
本発明に係る画像形成装置は、制御部に設定されたプログラムに応じて、経時変化に応じたガンマテーブルと、本来のガンマ補正を行う際の基準テーブルとを分離してそれぞれ画像補正を行うことにより、例えば、ユーザの嗜好に応じたターゲットに対応した基準テーブルを任意に選択して、最適で高精度な画像補正結果を得ることが可能となる。
【０００９】
【発明の実施の形態】
以下、図面を参照してこの発明の実施形態に係る画像形成装置の一例を詳細に説明する。
【００１０】
＜本発明に係る画像形成装置の概要＞
図１は、本発明に係る画像形成装置の一実施の形態の概要を説明する図、図２は、本発明に係るガンマ補正の基準値と検出値との関係を示すグラフ、図３は、本発明に係るガンマ補正の基準値での補正値とキャリブレーション用補正値との関係を示すグラフ、図４は、本発明に係る画像形成装置のキャリブレーションの手順の一例を示すフローチャート、図５は、本発明に係る画像形成装置のキャリブレーションの手順の他の一例を示すフローチャートである。
【００１１】
本発明に係る画像形成装置は、その概要を示す図１の（ａ）において、図６及び図７で後述する画像形成装置のスキャナ部１０３に応じる読み取り部１５と、後述する画像処理回路部１５４に応じる入力高画質化処理部１６と、同じく画像合成部１２と、同じく出力高画質化処理部１３と、図６及び図７で後述する画像形成装置のプリンタ部１０４に応じる記録部１４とを有しており、更にキャリブレーション用画像情報であるテストパターンに用いるテストパターン発生部１１を有している。更に、この出力高画質化処理部１３は、図１の（ｂ）において、経時変化による変化分だけを反映したガンマテーブルによる画像補正処理を行う差分調整処理部１７と、基準テーブルによる画像補正を行い、ターゲットガンマの変更も可能なＴＲＣ（Ｔｏｎｅｒ  Ｒｅｐｒｏｄｕｃｔｉｏｎ  Ｃｕｒｖｅ）階調処理部１８とを有している。ここで、ＴＲＣ階調処理部１８において、ターゲットガンマの設定が可能となり、基準テーブルＲは、例えば、濃度に応じた独自の基準テーブルＲ１，明度に応じた基準テーブルＲ２，又は、これらに所望のコントラストを加えた基準テーブルＲ３，Ｒ４等への変更がユーザの意思により可能となる。
【００１２】
複写動作時に、読み取り部１５であるスキャナから読み取られた画像データは、入力高画質化処理部１６において、入力高画質化処理により補正される。その後、画像合成部１２に含まれるページメモリＰＭに一旦保存され、出力高画質化処理部１３において各種補正された後、記録部１４で印刷される。又、印刷時は、ネットワークから入力されるページ記述言語（ＰＤＬ：Ｐａｇｅ  Ｄｅｓｃｒｉｐｔｉｏｎ  Ｌａｎｇｕａｇｅ）は、記録部１４において画像データに変換され、ページメモリを介して記録部１４で印刷される。
【００１３】
（キャリブレーション処理：ドラム使用）
このような複写動作を行う画像形成装置において、本発明に係るキャリブレーション処理を図４のフローチャートを用いて以下に詳細に説明する。
本発明に係る画像形成装置１は、図４に示すフローチャートにおいて、初めに、起動時又は所定期間経過したものであるかどうかが判断される（Ｓ１１）。すなわち、画像形成装置１の制御部の働きにより、画像形成装置１の起動時、又は、前回のキャリブレーション処理の日時を記憶しておき現在の日時との経過期間が例えば１週間又は１ヶ月等の予め決められた期間が経過したかどうかが判断され、キャリブレーションを行うかどうかの濃度測定を行うかどうかが判断される。適切な時期であると判断されれば、上述したページメモリ（又は後述する画像形成装置１でのバッファメモリ回路１５３又は画像処理回路部１５４）等の記憶領域から所定の画像情報を読み出してきて、これに応じて記録部１４のドラム等上に画像形成を行う（Ｓ１２）。そして、図示しないドラム近傍の濃度センサにより画像濃度を検出し（Ｓ１３）、この画像濃度が所定濃度以下であるときに、キャリブレーションが必要であると判断する（Ｓ１４）。
【００１４】
このときのキャリブレーションの要否の判断は、ドラムの画像濃度だけに限らず、例えば、反射率に基づくものであってもよいし、他の値に基づくものであってもよく、又、前回のキャリブレーションから一定期間の経過後に行うものであってもよい。
【００１５】
次に、キャリブレーション用パターンデータを、上述したページメモリ（又は後述する画像形成装置１でのバッファメモリ回路１５３又は画像処理回路部１５４）等の記憶領域から読み出してきて、このキャリブレーション用パターンデータに基づく画像をドラム２０３上に画像形成する（Ｓ１５）。そして、ドラム２０３上に形成された画像の濃度を濃度センサにより検出する（Ｓ１６）。
【００１６】
次に、検出された濃度に基づく検出テーブルＤ２を生成し、記憶装置等から読み出した予め用意された基準テーブルＲとの対応を取ることにより、ガンマテーブルを生成する（Ｓ１７）。このとき、検出テーブルＤ２と基準テーブルＲとは、図２のグラフにより示されている。すなわち、基準テーブルＲでのある濃度値Ａに応じた所定の濃度を得るための検出テーブルＤ２の濃度値Ａ’が求められる。同様に、基準テーブルＲでの全ての濃度値に対応する検出テーブルＤ２での濃度値が求められ、これらの値によるガンマテーブルＣ２が求められる（Ｓ１７）。ガンマテーブルＣ２は、図３に示されており、ここで、破線Ｃ１はリニアな値を示しており、基準テーブルＲと検出テーブルＤ２との間に全く差がない場合を示している。このようにして求めたガンマテーブルＣ２を記憶領域に保存する。更に、画像形成の際に、スキャナ等の読み取り部１５から取得した画像情報に対して、入力高画質化処理部１６にて入力高画質化処理を施した後に、出力高画質化処理部１３における差分調整処理部１７において、このガンマテーブルＣ２に基づき差分調整を行う（Ｓ１８）。そして、その後、ＴＲＣ階調処理部１８において、基準テーブルＲに基づいてガンマ補正を行う。
【００１７】
ここで、本発明に係る画像形成装置においては、出力高画質化処理部１３において、経時変化に応じたガンマテーブルＣ２による差分調整処理部１７での画像補正と、基準テーブルＲに応じたＴＲＣ階調処理部１８でのガンマ補正とが分離独立して行われるので、ユーザはＴＲＣ階調処理部１８において、例えば、独自のガンマターゲット（例えば、濃度や明度に応じたターゲットやこれらに特定のコントラストを施したターゲット）に応じる基準テーブルＲ１，Ｒ２，…等を選択して処理することも可能となる。
【００１８】
即ち上述したように、本発明に係る画像形成装置においては、キャリブレーション処理を基準テーブルＲと検出テーブルＤ２との相対的な比較により得たガンマテーブルＣ２により実現することにより、ターゲットガンマ変更のために基準テーブルを基準テーブルＲ１，Ｒ２等へ変更する際に必要な、スキャナ読み取りデータに対する色変換アルゴリズムの変更が不要となる。又、ターゲットガンマをＴＲＣ階調処理部１８でのスクリーン設計において決定し、エンジンのガンマ特性の経時変化をキャリブレーション処理で補正することにより、互いに独立した処理とすることで精度の高い処理がそれぞれ可能となる。
【００１９】
（キャリブレーション処理：記録媒体使用）
更に、本発明に係る画像形成装置においては、ドラム上に形成した画像に基づいてキャリブレーション処理を行うだけではなく、テストパターンを記録媒体に画像形成し、これをスキャナで読ませる方法によっても行うことができる。本発明に係るキャリブレーション処理を図５のフローチャートを用いて以下に詳細に説明する。
本発明に係る画像形成装置１は、図５に示すフローチャートにおいて、図４の場合と同様に、初めに、起動時又は所定期間経過したものであるかどうかが判断される（Ｓ１１）。すなわち、画像形成装置１の制御部の働きにより、画像形成装置１の起動時、又は、前回のキャリブレーション処理の日時を記憶しておき現在の日時との経過期間が例えば１週間又は１ヶ月等の予め決められた期間が経過したかどうかが判断され、キャリブレーションを行うかどうかの濃度測定を行うかどうかが判断される。適切な時期であると判断されれば、上述したページメモリ（又は後述する画像形成装置１でのバッファメモリ回路１５３又は画像処理回路部１５４）等の記憶領域から所定の画像情報を読み出し、これに応じて記録部１４のドラム等上に画像形成を行う（Ｓ１２）。そして、図示しないドラム近傍の濃度センサにより画像濃度を検出し（Ｓ１３）、この画像濃度が所定濃度以下であるときに、キャリブレーションが必要であると判断する（Ｓ１４）。
【００２０】
このときのキャリブレーションの要否の判断は、ドラムの画像濃度だけに限らず、例えば、反射率に基づくものであってもよいし、他の値に基づくものであってもよく、又、前回のキャリブレーションから一定期間の経過後に行うものであってもよいことは図４の場合と同様である。
次に、キャリブレーション用パターンデータを、上述したページメモリ（又は後述する画像形成装置１でのバッファメモリ回路１５３又は画像処理回路部１５４）等の記憶領域から読み出してきて、このキャリブレーション用パターンデータに基づく画像をドラム２０３を用いて、用紙等の記録媒体上に画像形成する（Ｓ２１）。このキャリブレーション用のテストパターンには、ＣＭＹＫ各色の階調パターンが印刷されている。印刷された階調パターンをスキャナで読み込むために、これを後述する原稿テーブル２１１等へ置いてスタートボタンを押すことを促すメッセージを後述する図６のコントロールパネル１２３上等に表示する（Ｓ２２）。そして、読み取った画像の濃度をスキャナ部の濃度センサにより検出する（Ｓ２３）。そして、読み取ったＲＧＢによる画像情報を入力高画質化処理部１６等でＹＭＣＫによる画像情報に色変換する。
【００２１】
ステップＳ１７以降の検出テーブルＤ２の生成と、基準テーブルＲとの比較によるガンマテーブルＣ２の生成、及び生成したガンマテーブルＣ２と、これに応じて適切な画像処理を行うことは、図４のフローチャートの場合と同様である。キャリブレーション用画像情報であるテストパターンを記録媒体上に形成してスキャナで検出するという方法を取ることにより、経時変化による特性変化をガンマテーブルＣ２に一層正確に反映させ、正確なガンマ補正を行うことが可能となる。
【００２２】
本発明の実施形態では、記録媒体に画像形成したテストパターンを用いる方法によっても同様に、出力高画質化処理部１３において、経時変化に応じたガンマテーブルＣ２による差分調整処理部１７での画像補正と、基準テーブルＲに応じたＴＲＣ階調処理部１８でのガンマ補正とを分離独立して行うことにより、独自のガンマターゲット（例えば、濃度や明度に応じたターゲットやこれらに特定のコントラストを施したターゲット）に応じる基準テーブルＲ１，Ｒ２，…等を選択して処理することも可能となる。
【００２３】
又、上述した実施形態では、画像補正は、ガンマテーブルにより行うものと説明したが、ガンマテーブルにかえて数式を用意し、その数式のパラメータを、複数のＰＤＬに対応して複数、画像処理部により生成して保存しておき、与えられた画像情報のＰＤＬに応じた補正パラメータを前記複数のＰＤＬ用のパラメータから選択し、画像情報をこの選択されたＰＤＬ用のパラメータを用いて上記数式によって画像処理部において補正することも可能である。
【００２４】
＜本発明に係る画像形成装置＞
次に、上述した画像形成装置の概要の詳細な具体例であるカラーデジタル複写装置の一つを、対応関係を明らかにしながら以下に図面を用いて詳細に説明する。図６は、本発明に係る画像形成装置の構成の一例を示すブロック図、図７は、本発明に係る画像形成装置の構成の一例を示す断面図である。
【００２５】
本発明に係るカラーデジタル複写装置である画像形成装置１は、図６において、基本処理部１０１、コントロールパネル１０２、スキャナ部１０３、プリンタエンジン１０４として、大別することができ、図１の画像形成装置１の読み取り部１５がスキャナ部１０３に対応し、プリンタ部１０４が記録部１４に対応している。更に、基本処理部１０１が有する後述する画像処理回路部１５４が、図１の入力高画質化処理部１６と、同じく画像合成部１２と、同じく出力高画質化処理部１３と、同じくテストパターンに用いるテストパターン発生部１１とを有している。
【００２６】
更に、制御系として、主ＣＰＵ（中央処理装置）１１１と、通信ラインを介してこれに接続されるコンパネＣＰＵ１１２、スキャナＣＰＵ１１３、プリンタＣＰＵ１１４を有している。主ＣＰＵ１１１は、これらコンパネＣＰＵ１１２、スキャナＣＰＵ１１３、プリンタＣＰＵ１１４を統括的に制御し、複写の全般にわたる制御を行なうものであり、上述した本発明に係るキャリブレーション処理をも管理するものである。
更に、コンパネＣＰＵ１１２に、ＲＯＭ（リード・オンリ・メモリ）１２１、ＲＡＭ（ランダム・アクセス・メモリ）１２２、コントロールパネル（操作盤）１２３が接続される。コンパネＣＰＵ１１２は、コンパネ１２３上のスイッチ（倍率や用紙サイズを設定するためのスイッチを含む）の操作の検知、ＬＥＤの点灯、消灯、表示器の制御等を行う。
【００２７】
スキャナＣＰＵ１１３には、ＲＯＭ１３１、ＲＡＭ１３２、モータ・ソレノイドなどメカコン等の制御部１３３、ＡＤＦ（オートドキュメントフィーダ）１３４、エディタ（座標入力装置）１３５、上記ＣＣＤセンサ６４から出力されるアナログの画像信号を例えば８ビットの画像信号に変換するＡ／Ｄ回路（アナログ・デジタル変換回路）１３７、シェーディング補正回路（ＳＨＤ）回路１３８、ラインメモリ１３９が接続される。制御部１３３にはキャリッジ８０を副走査方向において動かすためのパルスモータが接続される。更に、スキャナＣＰＵ１１３に、ランプレギュレータ１３６を介して露光ランプ６１が接続される。
【００２８】
プリンタＣＰＵ１１４に、モータ・ソレノイド・スイッチなどメカコン等の制御部１４１、ＲＡＭ１４２、ＲＯＭ１４３、ＬＣＦ（ラージカセットフィーダ）１４４、ソータ１４５、レーザユニット２０を駆動するためのレーザドライバ１４７及びレーザ変調回路１４８が接続される。
【００２９】
更に、主ＣＰＵ１１１に、ＲＯＭ１５１、ＲＡＭ１５２、スキャナ部１０３で読取ったデータをどこへ送るか、プリンタエンジンへはどのデータを送るのかの切り替えとバッファリングを行なうデータ切り替え及びバッファメモリ回路１５３、図１に示す画像形成装置の構成の主要部である入力高画質化処理部１６、テストパターン発生部１１、画像合成部１２、出力高画質化処理１３等を含んでいる、画像信号に対し画像的な処理を行なう画像処理部１５４が接続されている。更に、主ＣＰＵ１１１には、その動作を制御するべく、画像信号の圧縮伸長を行なう圧縮・伸長回路１５５、圧縮・伸長回路１５５で圧縮されたデータを蓄える圧縮メモリ１５６、ハードディスクドライブ・光ディスクドライブ・ファクシミリ・アダプタとのインタフェースを行なうＩ／Ｆコントローラ回路１５７、ディスプレイ１５８に表示する画像信号を記憶するためのディスプレイメモリ回路１５９、インタフェース１６０を介して接続されてる外部ＰＣ（Ｐｅｒｓｏｎａｌ  Ｃｏｍｐｕｔｅｒ）のコードデータを画像信号に展開するためのプリンタコントローラ１６１、画像信号をページごとに蓄えるページメモリ回路１６２、ディスプレイ１５８にコードデータを展開するためのディスプレイフォントＲＯＭ１６３、ページメモリ回路１６２上にコードデータを展開するためのプリントフォントＲＯＭ１６４がそれぞれ接続されている。
【００３０】
このような制御系の構成を有する本発明に係るカラーデジタル複写装置１である画像形成装置の機械的構成を、更に図７を用いて説明する。即ち、カラーデジタル複写装置１は、図７に示すように、複写対象物Ｏが保持する画像情報を光の明暗として読み取って画像信号を生成するスキャナ（カラー画像読取装置）２０１部と、スキャナ部２０１や外部から供給される画像信号に対応する画像を形成する画像形成部（ＭＦＰ＝  Ｍｕｌｔｉ  Ｆｕｎｃｔｉｏｎａｌ  Ｐｅｒｉｐｈｅｒａｌ）２０２からなるものであり、スキャナ部２０１は、図６の制御系の構成であるスキャナ部１０３に対応し、画像形成部２０２は、図６の制御系の構成である基本処理部１０１、コントロールパネル１０２、プリンタエンジン１０４に対応するものである。
このカラーデジタル複写装置１においては、読取対象物Ｏの画像情報の複写に際して、読取対象物Ｏが原稿テーブル２１１の所定の位置に位置される。コントロールパネル１２３から複写開始が指示されることで、照明ランプ２１２が所定の光強度の照明光を提供可能に点灯される。
【００３１】
第１および第２のキャリッジ２１３，２１４が、複写倍率に応じた所定の速度で原稿テーブル２１１に沿って移動されることで、原稿テーブル２１１にセットされた読取対象物Ｏの画像情報が照明ランプ２１２からの照明光により順に照明される。これにより、読取対象物Ｏの画像を光の明暗として含んだ反射光が生成される。なお、以下、この反射光を画像光と呼称する。
【００３２】
画像光は、第１キャリッジ２１３に固定されている画像取出ミラー２１３ａにより第２キャリッジ２１４に向けて反射され、第２キャリッジ２１４の第１ミラー２１４ａおよび第２のミラー２１４ｂで更に反射されて、結像レンズ２１５に入射される。結像レンズ２１５に入射された画像光は、ＣＣＤセンサ６４の受光面に結像される。
【００３３】
ＣＣＤセンサ６４に結像された画像光は、例えばＣ、Ｍ、Ｙのそれぞれの補色であるＲ（Ｒｅｄ）、Ｇ（Ｇｒｅｅｎ）、Ｂ（Ｂｌｕｅ）画像に対応される３つのラインセンサ（またはＲ、Ｇ、Ｂ、Ｂｋの４つのラインセンサ）で順に光電変換され、所定のタイミングで出力される。
【００３４】
ＣＣＤセンサ６４により光電変換された出力すなわち画像信号は、図示しない増幅器（Ｉ／Ｖ変換器）所定のレベルまで増幅され、Ａ／Ｄ変換回路１３７によりデジタル信号に変換され、１ライン分ずつ画像処理回路部１５４に出力される。
【００３５】
画像処理回路部１５４に入力された画像データは、画像処理回路部１５４において予め決められているルーチンに従って画像処理され、画像形成部２０２内の所定の記憶領域（例えばバッファメモリ回路１５３）に格納される。
【００３６】
次に、バッファメモリ回路１５３に記憶されている画像データをもとに強度変調された露光光が、露光装置２０５から感光体ドラム２０３の所定の位置に照射される。これにより、感光体ドラム２０３に、露光光の強度に応じた潜像が形成される。
【００３７】
このような画像形成動作を行うカラーデジタル複写装置１である画像形成装置において、本発明に係る図４及び図５のフローチャートで詳述したキャリブレーション処理が上述した手順により同様に行われる。これにより、経時変化に応じたガンマテーブルを独立させ、ターゲットガンマに応じた基準テーブルの処理と分離して処理することで、精度の高いキャリブレーション処理を容易に行うことが可能となる。
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００３８】
【発明の効果】
以上詳述したように本発明によれば、検出した画像濃度に基づく検出テーブルと基準テーブルとの比較によりキャリブレーション用補正テーブルを生成することで、エンジンのガンマ特性の経時変化の補正のみに特化して画像補正を行うため、ターゲットガンマの変更に影響を受けない、正確なキャリブレーション処理を行うことができる画像形成装置及び画像形成方法を提供することができる。
【図面の簡単な説明】
【図１】本発明に係る画像形成装置の一実施の形態の概要を説明する図。
【図２】本発明に係るガンマ補正の基準値と検出値との関係を示すグラフ。
【図３】本発明に係るガンマ補正の基準値での補正値とキャリブレーション用補正値との関係を示すグラフ。
【図４】本発明に係る画像形成装置のキャリブレーションの手順の一例を示すフローチャート。
【図５】本発明に係る画像形成装置のキャリブレーションの手順の他の一例を示すフローチャート。
【図６】本発明に係る画像形成装置の構成の一例を示すブロック図。
【図７】本発明に係る画像形成装置の構成の一例を示す断面図。
【符号の説明】１１…テストパターン発生部、１２…画像合成部、１３…出力高画質化処理部、１４…記録部、１５…読み取り部、１６…入力高画質化処理部、１７…差分調整処理部、１８…ＴＲＣ階調処理部。
【図１】
2004266544.tif 000003
【図２】
2004266544.tif 000004
【図３】
2004266544.tif 000005
【図４】
2004266544.tif 000006
【図５】
2004266544.tif 000007
【図６】
2004266544.tif 000008
【図７】
2004266544.tif 000009